(57)【要約】    【課題】簡単な操作で印刷ジョブをキャンセルできる印刷装置を提供する。    【解決手段】印刷装置１０を、実行指示を受け付けた各印刷ジョブを，複数の種類情報のいずれかと対応づけた形であると共に各印刷ジョブの実行指示の受付順が分かる形で，管理する装置であると共に、操作パネル１１に対して、或る種類情報を指定する操作（幾つかのボタン押下操作等）がなされたときに、その属性情報と対応づけた形で管理している，最も過去に実行指示が受け付けられた印刷ジョブの実行の中止する装置として構成しておく。    【選択図】図１
2008227704.tif 000002
【特許請求の範囲】
【請求項１】
各種の印刷ジョブを実行するための印刷ジョブ実行手段と、
印刷ジョブの実行指示を受け付け、実行指示を受け付けた各印刷ジョブを，複数の種類情報のいずれかと対応づけた形であると共に各印刷ジョブの実行指示の受付順が分かる形で，管理する印刷ジョブ管理手段と、
種類情報を指定する操作が可能なユーザ・インタフェース手段と、
或る属性情報を指定する操作が前記ユーザ・インタフェース手段に対してなされたときに、その属性情報と対応づけた形で前記印刷ジョブ管理手段が管理している，最も過去に実行指示が受け付けられた印刷ジョブの実行が中止されるように、前記印刷ジョブ管理手段のみ，或いは、前記印刷ジョブ管理手段及び前記印刷ジョブ実行手段を制御する印刷ジョブキャンセル手段と
を備えることを特徴とする印刷装置。
【請求項２】
ＦＡＸデータを受信するための受信手段を、さらに、備え、
前記印刷ジョブ管理手段が、
前記受信手段によるＦＡＸデータの受信を、印刷ジョブの実行指示として取り扱う手段であると共に、ＦＡＸデータに関する印刷ジョブを、特定の種類情報と対応づけた形で管理する手段である
ことを特徴とする請求項１記載の印刷装置。
【請求項３】
前記印刷ジョブキャンセル手段が、
前記特定の属性情報を指定する操作が前記ユーザ・インタフェース手段に対してなされたときには、当該特定の属性情報と対応づけた形で前記印刷ジョブ管理手段が管理している印刷ジョブの中からユーザに１つの印刷ジョブを選択させるための処理を行った後、ユーザが選択した印刷ジョブの実行が中止されるように、前記印刷ジョブ管理手段のみ，或いは、前記印刷ジョブ管理手段及び前記印刷ジョブ実行手段を制御する手段である
ことを特徴とする請求項２記載の印刷装置。
【請求項４】
前記ユーザ・インタフェース手段が、
前記複数の種類情報の中の２つ以上の種類情報が含まれる種類情報グループを指定する操作が可能な手段であり、
前記印刷ジョブキャンセル手段が、
前記種類情報グループを指定する操作が前記ユーザ・インタフェース手段に対してなされたときには、当該種類情報グループに含まれる各属性情報と対応づけた形で前記印刷ジョブ管理手段が管理している各印刷ジョブの実行が中止されるように、前記印刷ジョブ管理手段のみ，或いは、前記印刷ジョブ管理手段及び前記印刷ジョブ実行手段を制御する手段である
ことを特徴とする請求項１乃至請求項３のいずれかに記載の印刷装置。
【請求項５】
前記ユーザ・インタフェース手段が、
全ての印刷ジョブの実行を中止する種類情報を指定する操作が可能な手段であり、
前記印刷ジョブキャンセル手段が、
全ての印刷ジョブの実行を中止する種類情報を指定する操作が前記ユーザ・インタフェース手段に対してなされたときには、その属性情報と対応づけた形で前記印刷ジョブ管理手段が管理している各印刷ジョブの実行が中止されるように、前記印刷ジョブ管理手段のみ，或いは、前記印刷ジョブ管理手段及び前記印刷ジョブ実行手段を制御する手段である
ことを特徴とする請求項１乃至請求項４のいずれかに記載の印刷装置。
【発明の詳細な説明】
【技術分野】
【０００１】
本発明は、プリンタ，複合機等の，印刷データを受信して印刷を行う印刷装置に、関する。
【背景技術】
【０００２】
周知のように、近年の比較的に高機能な印刷装置（プリンタ，複合機等）は、多数の印刷ジョブの実行指示を同時期に受け付けることが可能な装置（複数の印刷データを内部に記憶可能な装置）として構成されている。
【０００３】
そして、そのような印刷装置は、ユーザが，印刷ジョブをキャンセルできるようにも構成されているのであるが、既存の印刷装置は、印刷ジョブをキャンセルしたい場合、ユーザが、印刷ジョブのリストを表示させて、そのリストからキャンセルする印刷ジョブを選択しなければならないもの（例えば、特許文献１参照）となっている。
【０００４】
また、既存の，ＦＡＸ機能を有する印刷装置は、ＦＡＸデータに関する印刷ジョブが、誤ってキャンセルされることがないようにするために、印刷データに関する印刷ジョブと、ＦＡＸデータに関する印刷ジョブとを分けて管理するといった複雑な構成（ファームウェアの作成が困難な構成）を採用した装置となっている。
【０００５】
【特許文献１】特開２００３−１２５１２３号公報
【発明の開示】
【発明が解決しようとする課題】
【０００６】
そこで、本発明の第１の課題は、簡単な操作で印刷ジョブをキャンセルできる印刷装置を提供することにある。
【０００７】
また、本発明の第２の課題は、ＦＡＸ機能を有する印刷装置であって、そのファームウェアの作成が，既存のＦＡＸ機能を有する印刷装置よりも容易な印刷装置を、提供することにある。
【課題を解決するための手段】
【０００８】
上記第１の課題を解決するために、本発明の印刷装置は、各種の印刷ジョブを実行するための印刷ジョブ実行手段と、印刷ジョブの実行指示を受け付け、実行指示を受け付けた各印刷ジョブを，複数の種類情報のいずれかと対応づけた形であると共に各印刷ジョブの実行指示の受付順が分かる形で，管理する印刷ジョブ管理手段と、種類情報を指定する操作が可能なユーザ・インタフェース手段と、或る属性情報を指定する操作がユーザ・インタフェース手段に対してなされたときに、その属性情報と対応づけた形で印刷ジョブ管理手段が管理している，最も過去に実行指示が受け付けられた印刷ジョブの実行が中止されるように、印刷ジョブ管理手段のみ，或いは，印刷ジョブ管理手段及び印刷ジョブ実行手段を制御する印刷ジョブキャンセル手段とを、備える。
【０００９】
すなわち、本発明の印刷装置は、キャンセルする印刷ジョブを選択できるようにする代わりに、受付可能なジョブキャンセル指示操作（１つの印刷ジョブがキャンセルされることになる“種類情報を指定する操作”）の種類を増やした装置となっている。そして、通常、キャンセル対象となる印刷ジョブは、或る種類の，最も過去に実行指示を出したものであるため、本発明の印刷装置は、印刷ジョブのリストから，キャンセルする印刷ジョブを選択できる印刷装置とほぼ同機能の装置であるにも拘わらず、当該印刷装置よりも簡単な操作で印刷ジョブをキャンセルできる装置となっていると言うことが出来る。
【００１０】
本発明の印刷装置を実現するに際しては、本発明の第２の課題も解決できるようにするために、ＦＡＸデータを受信するための受信手段を付加しておくと共に、印刷ジョブ管理手段として、受信手段によるＦＡＸデータの受信を、印刷ジョブの実行指示として取り扱う手段であると共に、ＦＡＸデータに関する印刷ジョブを、特定の種類情報と対応づけた形で管理する手段を採用しておくことが出来る。
【００１１】
なお、ＦＡＸデータに関する印刷ジョブは、印刷ジョブ自体を指定してキャンセルしたいもの（通常、キャンセルしないもの）であるため、本発明の印刷装置を、ＦＡＸ機能付きの（請求項２記載の）印刷装置として実現する場合には、印刷ジョブキャンセル手段を、特定の属性情報を指定する操作がユーザ・インタフェース手段に対してなされたときには、当該特定の属性情報と対応づけた形で印刷ジョブ管理手段が管理している印刷ジョブの中からユーザに１つの印刷ジョブを選択させるための処理を行った後、ユーザが選択した印刷ジョブの実行が中止されるように、印刷ジョブ管理手段のみ，或いは、印刷ジョブ管理手段及び印刷ジョブ実行手段を制御する手段としておくことが望ましい。
【００１２】
また、本発明の印刷装置を、『ユーザ・インタフェース手段が、複数の種類情報の中の２つ以上の種類情報が含まれる種類情報グループを指定する操作が可能な手段であり、印刷ジョブキャンセル手段として、種類情報グループを指定する操作がユーザ・インタフェース手段に対してなされたときには、当該種類情報グループに含まれる各属性情報と対応づけた形で印刷ジョブ管理手段が管理している各印刷ジョブの実行が中止されるように、印刷ジョブ管理手段のみ，或いは、印刷ジョブ管理手段及び印刷ジョブ実行手段を制御する手段である』装置や、『ユーザ・インタフェース手段が、全ての印刷ジョブの実行を中止する種類情報を指定する操作が可能な手段であり、印刷ジョブキャンセル手段が、全ての印刷ジョブの実行を中止する種類情報を指定する操作がユーザ・インタフェース手段に対してなされたときには、その属性情報と対応づけた形で印刷ジョブ管理手段が管理している各印刷ジョブの実行が中止されるように、印刷ジョブ管理手段のみ，或いは、印刷ジョブ管理手段及び印刷ジョブ実行手段を制御する手段である』装置として実現しておけば、複数の印刷ジョブを一括してキャンセルできる印刷装置が得られることになる。
【発明を実施するための最良の形態】
【００１３】
以下、本発明を実施するための最良の形態を、図面を参照して詳細に説明する。
【００１４】
まず、図１〜図６を用いて、本発明の一実施形態に係る印刷装置１０の概要を、説明する。
【００１５】
図１に示してあるように、本発明の一実施形態に係る印刷装置１０は、操作パネル１１，制御部１２，スキャナ１３及び印刷エンジン１４を備えた装置である。また、印刷装置１０は、何台か（図では，１台）のホストＰＣと，公衆電話回線網とに接続されて使用される装置となっている。
【００１６】
本実施形態に係る印刷装置１０が備えるスキャナ１３は、原稿をスキャンすることにより，原稿上の画像を表す画像データを生成するユニットである。印刷エンジン１４は、用紙上に印刷を行うためのユニットである。
【００１７】
操作パネル１１は、１個のＬＣＤと複数のボタン（押しボタンスイッチ）と複数のランプ（ＬＥＤ）とが、図２〜図４に示したように配置されたユニットである。
【００１８】
制御部１２（図１）は、ＣＰＵ，ＲＡＭ，フラッシュＲＯＭ，メモリ制御ＡＳＩＣ，ＩＯ制御ＡＳＩＣ，ＦＡＸ回路〔ＦＡＸデータの送受信を行う回路〕，各種ホストインタフェース回路（ネットワークインタフェース回路等）等により構成された，印刷装置１０をＦＡＸデータの送受信が可能な複合機として機能させるユニットである。
【００１９】
この制御部１２は、受信した印刷データ／ＦＡＸデータの印刷が完了していなくても、次の印刷データ／ＦＡＸデータを受信できるユニットとなっている。また、制御部１２は、通常の状態では（プリントモード時には）、図５（Ａ）に示した構成の待機中画面２０をＬＣＤ上に表示し、印刷中（印刷ジョブの実行中）には、図５（Ｂ）に示した構成のプリント中画面３１をＬＣＤ上に表示するユニットとなっている。
【００２０】
印刷装置１０と接続されるホストＰＣは、印刷装置１０用のものとして開発されたプリンタドライバ３０をインストールしたコンピュータである。
【００２１】
プリンタドライバ３０は、拡張設定用ダイアログボックスとして、図６に示した構成のものを表示するプログラムである。なお、この拡張設定用ダイアログボックスは、既存のプリンタドライバが表示する拡張設定用ダイアログボックスに、キャンセルレベル（図では、“キャンセル優先度”）設定用アイテム３２を追加したものとなっている。
【００２２】
そして、プリンタドライバ３０は、キャンセルレベル設定用アイテム３２の設定値が“標準”である場合には、キャンセルレベルが第１レベルであることを示すキャンセルレベルコマンド（一種のジョブ制御コマンド）を含めた印刷データを生成・送信し、キャンセルレベル設定用アイテム３２の設定値が“管理者のみ削除可能”である場合には、キャンセルレベルが第３レベルであることを示すキャンセルレベルコマンドを含めた印刷データを生成・送信するプログラムとなっている。さらに、プリンタドライバ３０は、キャンセルレベル設定用アイテム３２の設定値が“印刷者のみ削除可能”である場合には、キャンセルレベルが第２レベルであることを示すキャンセルレベルコマンドと，自プログラムに対して設定されているユーザ名（英文字列）及びパスワード（数字列）を含めた印刷データを生成・送信するプログラムとなっている。
【００２３】
次に、本実施形態に係る印刷装置１０の通常時の動作を、説明する。
【００２４】
本印刷装置１０内の制御部１２は、ジョブ情報登録処理と印刷ジョブ実行処理とを並行的に実行するように構成されたユニットとなっている。
【００２５】
制御部１２が実行する印刷ジョブ実行処理は、ジョブ管理テーブルに登録されている各ジョブ情報が示している内容の印刷ジョブを，順次（ジョブ管理テーブルへのジョブ情報の登録順通りに），実行する処理である。なお、ジョブ情報とは、それに基づき，印刷ジョブ（印刷エンジン１４に印刷を行わせる処理）を実行できる情報（データが記憶されているアドレス等からなる情報）のことである。また、ジョブ管理テーブルとは、制御部１２内（本実施形態では、ＲＡＭ上）に用意されている情報の記憶領域のことである。
【００２６】
制御部１２が実行するジョブ情報登録処理は、図７に示した手順の処理である。
【００２７】
すなわち、ジョブ情報登録処理を実行している制御部１２は、通常は、ＦＡＸデータ／印刷データの受信や，管理用印刷物要印刷イベントの発生を監視する処理（ステップＳ１０１）を行っている。なお、管理用印刷物要印刷イベントとは、“ステータスシートの印刷を指示するコマンドを受信した”，“ステータスシートの印刷を指示する操作が操作パネル１１に対してなされた”，“ＦＡＸの送受信ログの印刷を行う必要が生じた”といったイベントのことである。
【００２８】
そして、制御部１２は、ＦＡＸデータを受信した場合（ステップＳ１０１；ＦＡＸデータ受信）には、受信したＦＡＸデータに関するジョブ情報を，キャンセルレベルが第４レベルであることを示す情報と共にジョブ管理テーブルへ登録する処理（ステップＳ１０２）を行ってから、ステップＳ１０１の処理（各種イベントの発生を監視する処理）を再び開始する。
【００２９】
制御部１２は、管理用印刷物要印刷イベントが発生した場合（ステップＳ１０１；管理用印刷物要印刷イベント）には、発生した管理用印刷物要印刷イベントに関するジョブ情報を，キャンセルレベルが第３レベルであることを示す情報と共にジョブ管理テーブルへ登録する処理（ステップＳ１０３）を行ってから、ステップＳ１０１の処理を開始する。また、制御部１２は、印刷データを受信した場合（ステップＳ１０１；印刷データ受信）には、受信した印刷データに関するジョブ情報を，印刷データ中のキャンセルレベルコマンドに対応する内容の情報（キャンセルレベルが，キャンセルレベルコマンド内に設定されているレベルであることを示す情報）と共にジョブ管理テーブルへ登録する処理（ステップＳ１０４）を行ってから、ステップＳ１０１の処理を開始する。
【００３０】
次に、印刷装置１０（制御部１２）のジョブキャンセル時の動作を、ストップボタン押下時の動作と、ストップボタン及び拡張ボタンの同時押下時の動作と，ストップボタン及びＦＡＸボタンの同時押下時の動作とに分けて，説明する。
【００３１】
《ストップボタン押下時の動作》
制御部１２は、プリント中画面２１の表示中（印刷ジョブの実行中）に、ストップボタンが単独で押下された場合には、図８に示してあるように、まず、ストップボタンの押下時間が所定時間以上であるか否かを判断する。
【００３２】
ストップボタンの押下時間が所定時間未満であった場合、制御部１２は、印刷をキャンセルするか否かをユーザに問い合わせるための問い合わせ画面２２をＬＣＤ上に表示する。
【００３３】
そして、制御部１２は、印刷をキャンセルしないことが指示された場合（戻るボタンが押下された場合）には、ストップボタンの押下により開始した処理を終了して、ＬＣＤ上の画面をプリント中画面２１に戻す。また、制御部１２は、印刷をキャンセルすることが指示された場合（ストップボタンが押下された場合）には、実行中の印刷ジョブのキャンセルレベル〔実行中の印刷ジョブに関するジョブ情報と共にジョブ管理テーブルに記憶されている情報が示しているキャンセルレベル〕が第１レベルであるか否かを判断する。そして、制御部１２は、実行中の印刷ジョブのキャンセルレベルが第１レベルではなかった場合には、印刷ジョブをキャンセルできない旨をユーザに通知するための画面２４を，一定時間，ＬＣＤ上に表示してから、ストップボタンの押下により開始した処理を終了する。
【００３４】
また、実行中の印刷ジョブのキャンセルレベルが第１レベルであった場合、制御部１２は、ジョブキャンセル中画面２３をＬＣＤ上に表示しながら、実行中の印刷ジョブをキャンセルする処理（実行中の印刷ジョブを中止し、自ユニット内の当該印刷ジョブに関する情報を消去する処理）を行う。そして、制御部１２は、ストップボタンの押下により開始した処理を終了し、印刷ジョブが残っていなかった場合には、ＬＣＤ上に待機中画面２０を表示する。また、制御部１２は、印刷ジョブが残っていた場合には、ＬＣＤ上にプリント中画面２１を表示して，残っている印刷ジョブを開始する。
【００３５】
一方、ストップボタンの押下時間が所定時間以上であった場合、制御部１２は、全印刷をキャンセルするか否かをユーザに問い合わせるための問い合わせ画面２２ｂをＬＣＤ上に表示する。
【００３６】
全印刷をキャンセルしないことが指示された場合（戻るボタンが押下された場合）、制御部１２は、ストップボタンの押下により開始した処理を終了する。
【００３７】
また、制御部１２は、全印刷をキャンセルすることが指示された場合（ストップボタンが押下された場合）には、ＬＣＤ上にジョブキャンセル中画面２３ｂを表示しながら、キャンセルレベルが第１レベルとなっている各印刷ジョブ（図では、第１レベルジョブ）をキャンセルする処理を行う。そして、制御部１２は、ストップボタンの押下により開始した処理を終了し、印刷ジョブが残っていなかった場合には、ＬＣＤ上に待機中画面２０を表示する。また、制御部１２は、印刷ジョブ（キャンセルレベル＝第２〜第４レベル）が残っていた場合には、ＬＣＤ上にプリント中画面２１を表示して，残っている印刷ジョブを開始する。
【００３８】
《ストップボタン及び拡張ボタンの同時押下時の動作》
制御部１２は、プリント中画面２１の表示中（印刷ジョブの実行中）に、ストップボタンと拡張ボタンとが押下された場合には、図９に示してあるように、まず、ストップボタン及び拡張ボタンの押下時間が所定時間以上であるか否かを判断する。
【００３９】
ストップボタン及び拡張ボタンの押下時間が所定時間未満であった場合、制御部１２は、図示してあるような画面２５，２６をＬＣＤ上に表示することにより、操作者（ストップボタン及び拡張ボタンを押下した者）に、ユーザ名及びパスワードを入力させる処理を行う。なお、各画面２５，２６は、上下ボタンを操作することにより文字／数字を選択し、右ボタンを押下することにより選択した文字／数字を確定させるといった形で、ユーザ名／パスワードの入力を行う画面となっている。
【００４０】
その後、制御部１２は、問い合わせ画面２２をＬＣＤ上に表示し、印刷をキャンセルしないことが指示された場合（戻るボタンが押下された場合）には、ストップボタン及び拡張ボタンの押下により開始した処理を終了して、ＬＣＤ上の画面をプリント中画面２１に戻す。
【００４１】
また、制御部１２は、印刷をキャンセルすることが指示された場合（ストップボタンが押下された場合）には、ジョブキャンセル中画面２３をＬＣＤ上に表示しながら、入力されたユーザ名で識別されるユーザの印刷ジョブをキャンセルする処理を行う。そして、制御部１２は、ストップボタン及び拡張ボタンの押下により開始した処理を終了し、印刷ジョブが残っていなかった場合には、ＬＣＤ上に待機中画面２０を表示する。また、制御部１２は、印刷ジョブが残っていた場合には、ＬＣＤ上にプリント中画面２１を表示して、残っている印刷ジョブを開始する。
【００４２】
ストップボタン及び拡張ボタンの押下時間が所定時間以上であった場合、制御部１２は、画面２７をＬＣＤ上に表示することにより、操作者（この場合、管理者）に、管理者ジョブキャンセルパスワードを入力させる処理を行う。なお、管理者ジョブキャンセルパスワードとは、操作パネル１１を操作することより、管理者（管理者パスワードを知っている者）が，値の設定／変更が行えるパスワード（数字列）のことである。
【００４３】
そして、制御部１２は、入力された管理者ジョブキャンセルパスワードが正しいものであった場合には、問い合わせ画面２２ｂをＬＣＤ上に表示し、印刷をキャンセルしないことが指示された場合（戻るボタンが押下された場合）には、ストップボタン及び拡張ボタンの押下により開始した処理を終了する。
【００４４】
また、制御部１２は、印刷をキャンセルすることが指示された場合（ストップボタンが押下された場合）には、ジョブキャンセル中画面２３ｂをＬＣＤ上に表示しながら、キャンセルレベルが，第１〜第３レベルのいずれかとなっている各印刷ジョブ（図では、第１〜第３レベルジョブ）をキャンセルする処理を行う。そして、制御部１２は、ストップボタン及び拡張ボタンの押下により開始した処理を終了し、印刷ジョブが残っていなかった場合には、ＬＣＤ上に待機中画面２０を表示する。また、制御部１２は、印刷ジョブが残っていた場合には、ＬＣＤ上にプリント中画面２１を表示して、残っている印刷ジョブを開始する。
【００４５】
《ストップボタン及びＦＡＸボタンの同時押下時の動作》
制御部１２は、プリント中画面２１の表示中（印刷ジョブの実行中）に、ストップボタンとＦＡＸボタンとが押下された場合には、図１０に示してあるように、まず、画面２７をＬＣＤ上に表示することにより、操作者（この場合、管理者）に、管理者ジョブキャンセルパスワードを入力させる処理を行う。
【００４６】
入力された管理者ジョブキャンセルパスワードが正しいものであった場合、制御部１２は、未完了の各ＦＡＸジョブの識別情報（“11:34 印刷中〜”等）が示されているＦＡＸジョブ情報画面２８をＬＣＤ上に表示する。その後、制御部１２は、操作者の指示（上，下ボタンの操作）に従って、このＦＡＸジョブ情報画面２８内の，反転表示する識別情報を変更する状態となり、ストップボタンが押下された場合には、ＦＡＸジョブを削除するか否かを操作者に問い合わせるための問い合わせ画面２９をＬＣＤ上に表示する。
【００４７】
また、制御部１２は、ＦＡＸジョブ情報画面２８の表示中に、右ボタンが押下された場合には、操作者が選択したＦＡＸジョブの詳細が示されるＦＡＸジョブ詳細画面をＬＣＤ上に表示する。そして、制御部１２は、戻るボタンが押下された場合には、ＦＡＸジョブ情報画面２８をＬＣＤ上に表示し、ストップボタンが押下された場合には、問い合わせ画面２９をＬＣＤ上に表示する。
【００４８】
問い合わせ画面２９の表示を行った制御部１２は、ＦＡＸジョブを削除するか否かについての指示が入力されるのを待機する状態となり、ＦＡＸジョブを削除しないことが指示された場合（“いいえ”が選択された場合）には、ストップボタン及びＦＡＸボタンの押下により開始した処理を終了して、ＬＣＤ上の画面をプリント中画面２１に戻す。
【００４９】
また、制御部１２は、ＦＡＸジョブを削除することが指示された場合（“はい”が選択された場合）には、ジョブキャンセル中画面２２をＬＣＤ上に表示しながら、その識別情報がＦＡＸジョブ情報画面２８で選択されたＦＡＸジョブ（キャンセルレベルが，第４３レベルとなっている印刷ジョブ）をキャンセルする処理を行う。そして、制御部１２は、ストップボタン及びＦＡＸボタンの押下により開始した処理を終了し、印刷ジョブが残っていなかった場合には、ＬＣＤ上に待機中画面２０を表示する。また、制御部１２は、印刷ジョブが残っていた場合には、ＬＣＤ上にプリント中画面２１を表示して、残っている印刷ジョブを開始する。
【００５０】
以上の説明から明かなように、本実施形態に係る印刷装置１０は、キャンセルする印刷ジョブを選択できるようにする代わりに、受付可能なジョブキャンセル指示操作〔“ストップボタンの短時間押下操作”，“ストップボタンの長時間押下操作”“ストップボタン及び拡張ボタンを短時間押下した後、ユーザ名等を入力する操作”等）の種類を増やした装置となっている。そして、通常、キャンセル対象となる印刷ジョブは、或る種類の，最も過去に実行指示を出した印刷ジョブや、或る種類の全ての印刷ジョブであるため、本実施形態に係る印刷装置１０は、印刷ジョブのリストから，キャンセルする印刷ジョブを選択できる印刷装置とほぼ同機能の装置であるにも拘わらず、当該印刷装置よりも簡単な操作で印刷ジョブをキャンセルできる装置となっていると言うことが出来る。
【００５１】
また、印刷装置１０は、ＦＡＸデータ、印刷データに関する各印刷ジョブの管理が、１つのジョブ管理テーブルで行われる装置として構成されている。このため、印刷装置１０は、ファームウェアの作成が既存のＦＡＸ機能を有する印刷装置よりも簡単に作成できる装置（その分、安価に製造できる装置）となっていると言うことも出来る。
【００５２】
《変形形態》
上記した印刷装置１０は、各種の変形を行うことが出来る。例えば、印刷装置１０は、ユーザの印刷ジョブをキャンセルする場合（図９参照）、ユーザ名の入力が必要な装置であったが、印刷装置１０を、ユーザの印刷ジョブをキャンセルする場合、ユーザ名の入力ではなく、ユーザが使用しているホストＰＣ名（ホストＰＣのＯＳが管理しているコンピュータ名）の選択が必要な装置に変形することが出来る。また、印刷装置１０を、ＦＡＸ機能を有さない装置や、一括して複数の印刷ジョブをキャンセルすることが出来ない装置に変形しても良いことなどは、当然のことである。
【図面の簡単な説明】
【００５３】
【図１】本発明の一実施形態に係る印刷装置の構成及び使用形態の説明図。
【図２】実施形態に係る印刷装置が備える操作パネルの説明図。
【図３】操作パネルの説明図。
【図４】操作パネルの説明図。
【図５】操作パネルのＬＣＤ上に表示されるプリント中画面及び待機中画面の説明図。
【図６】実施形態に係る印刷装置用のプリンタドライバが表示する拡張設定ダイアログボックスの説明図。
【図７】実施形態に係る印刷装置内の制御部が実行するジョブ情報登録処理の流れ図。
【図８】実施形態に係る印刷装置の，ストップボタン押下時における動作内容の説明図。
【図９】実施形態に係る印刷装置の，ストップボタン及び拡張ボタン押下時における動作内容の説明図。
【図１０】実施形態に係る印刷装置の，ストップボタン及びＦＡＸボタン押下時における動作内容の説明図。
【符号の説明】
【００５４】
１０  印刷装置、  １１  操作パネル、  １２  制御部、  １３  スキャナ
１４  印刷エンジン、  ３０  プリンタドライバ
【図１】
2008227704.tif 000003
【図２】
2008227704.tif 000004
【図３】
2008227704.tif 000005
【図４】
2008227704.tif 000006
【図５】
2008227704.tif 000007
【図６】
2008227704.tif 000008
【図７】
2008227704.tif 000009
【図８】
2008227704.tif 000010
【図９】
2008227704.tif 000011
【図１０】
2008227704.tif 000012